(57)【要約】      （修正有）【課題】使用しやすく、構造が簡単で、光ファイバー・コネクタを効果的に封止可能な光ファイバー・コネクタ及びその遮蔽板構造を提供する。【解決手段】光ファイバー・プラグ６には、ソケット６１と、突起部６２と、嵌挿部６３と、を備えており、また、遮蔽板構造には、光ファイバー・コネクタ７のボトム・ベース７１に収納される弾性装置と、移動式遮蔽板９と、カバー１０と、を備えており、その中、移動式遮蔽板９には、孔部と、二つのガイディング・ロッドと、を備えており、その中、二つのガイディング・ロッドがそれぞれボトム・ベース７１における二つのスリット７２に滑走可能に対応される。【選択図】図１０Ａ
0003102228.tif 000002
【実用新案登録請求の範囲】
【請求項１】
光ファイバー・プラグに応用される光ファイバー・コネクタ及びその遮蔽板構造であって、
前記光ファイバー・コネクタには、ボトム・ベースと、そのボトム・ベースの二つの対向しあう内側壁部にそれぞれ凹んで形成される二つのスリット同士とを有し、
また、前記光ファイバー・プラグには、ソケットと、そのソケットの二つの対向しあう側に突出形成される突起部と、前記ソケットの前端部に配置される嵌挿部とを有し、
また、前記遮蔽板構造には、
前記光ファイバー・コネクタに収納されると共に、その光ファイバー・コネクタの前記ボトム・ベースに連結される端部を有する弾性装置と、
前記弾性装置の他端部に収納且つ連接され、中心部に形成される孔部と、その左右両縁部にそれぞれ突出形成される二つのガイディング・ロッドと、を有し、且つ前記二つのガイディング・ロッド同士が前記光ファイバー・コネクタのボトム・ベースにおけるスリットに対応され、且つ前記孔部が前記光ファイバー・プラグの前記嵌挿部に対応するとともに、やや大きく形成され、前記孔部と前記嵌挿部とを余裕があるように組み合わせられるように設定した移動式遮蔽板と、
前記移動式遮蔽板を覆うと共に、前記ボトム・ベースに固定され、前記移動式遮蔽板の脱落を防止可能なカバーとを備えていることを特徴とする光ファイバー・コネクタ及びその遮蔽板構造。
【請求項２】
前記カバーは、その中央部に窓口が形成され、その窓口のサイズが前記光ファイバー・プラグの前記ソケットに対応すると共に、やや大きく形成され、それによって、前記カバーと前記ソケットとを余裕があるように組み合わせることを特徴とする請求項１に記載の光ファイバー・コネクタ及びその遮蔽板構造。
【請求項３】
前記前記カバーにはさらにかど取りを有し、それによって前記光ファイバー・プラグの前記ソケットを順調に前記下バーを通させるようにガイディングし、前記かど取りが所定角度または所定の円弧度を有するガイディング斜面に形成されることを特徴とする請求項２に記載の光ファイバー・コネクタ及びその遮蔽板構造。
【請求項４】
前記移動式遮蔽板は、その上下両縁部にそれぞれ二つのガイディング・ロッド同士が形成され、それらの二つのガイディング・ロッド同士がそれぞれ前記ボトム・ベースの上下両内壁部に滑走可能に対応され、その移動式遮蔽板とその押し込み方向とを直交するように保持するような作用を発揮することを特徴とする請求項１に記載の光ファイバー・コネクタ及びその遮蔽板構造。
【請求項５】
前記弾性装置には、経常閉鎖式の細いスリットが形成され、且つ前記移動式遮蔽板の前記孔部に対応し、前記光ファイバー・プラグの前記嵌挿部を受け入れることを特徴とする請求項１に記載の光ファイバー・コネクタ及びその遮蔽板構造。
【請求項６】
前記弾性装置は一体成形によって形成されることを特徴とする請求項５に記載の光ファイバー・コネクタ及びその遮蔽板構造。
【請求項７】
前記弾性装置としてスポンジや弾性が好ましいゴム・ピースからなるＵ字形部材を使用することを特徴とする請求項６に記載の光ファイバー・コネクタ及びその遮蔽板構造。
【請求項８】
前記弾性装置は組立式の物品であり、且つ少なくともひとつの弾性部材を有することを特徴とする請求項５に記載の光ファイバー・コネクタ及びその遮蔽板構造。
【請求項９】
前記弾性部材として板状バネを使用し、その板状バネが前記移動式遮蔽板に接触する当接部に前記孔部に対応する開口が形成され、そこより光ファイバー・プラグの前記嵌挿部を受け入れることを特徴とする請求項８に記載の光ファイバー・コネクタ及びその遮蔽板構造。
【請求項１０】
前記弾性装置には、さらに前記弾性部材と前記移動式遮蔽板との間に弾性孔部材を有し、且つその弾性孔部材には経常閉鎖式の細いスリットが形成され、そこより光ファイバー・プラグの前記嵌挿部を受け入れ、且つその弾性孔部材としてスポンジや弾性が好ましいゴム・ピースからなる部材を採用することを特徴とする請求項８に記載の光ファイバー・コネクタ及びその遮蔽板構造。
【考案の詳細な説明】
【技術分野】
【０００１】
本考案は、光ファイバー・コネクタに係わり、特に光信号を光ファイバーにカップリングするための光ファイバー・コネクタ及びその遮蔽板構造に関するものである。
【背景技術】
【０００２】
光ファイバー通信の日進月歩にしたがって、光ファイバー・コネクタのニーズが絶えずに増加されてゆき、そのような光ファイバー・コネクタの内部に一般的には光素子が取り付けられており、埃や異物などがその光素子の光学性能の影響を避けるために、且つ光素子の生成する光信号が直接的に作業者の眼部に入射してその眼部を痛むことを避けるために、その光ファイバー・コネクタの入口を封止する必要がある。
【０００３】
図１は、第一種の従来技術の光ファイバー・コネクタ１ａを示す説明図であり、その光ファイバー・コネクタ１ａには、防塵プラグ１２ａを使用して前記のそれぞれの目的を図り、それはコネクタ・ボトム・ベース１１ａが他の光学装置と連結しあわない時に、そのコネクタ・ボトム・ベース１１ａの光ファイバー・プラグ・イン・ホールに取り付けられ、そのことによってその光ファイバー・プラグ・イン・ホールを封止する作用を発揮し、埃と異物との侵入を避ける。しかしながら、前記の第一種の従来技術の開示する前記の防塵プラグ１２ａについて、取っ手を設けて取り抜くことに利するようにする必要があり、その防塵プラグ１２ａの形状を論じると、その取っ手が突出しているため、外形を大きくならせることがあり、光ファイバーを光学装置に接続する場合に、先に防塵プラグ１２ａを取り外す必要があり、そのため、不使用時に、その取り外された防塵プラグ１２ａを気づいて保管する必要があり、再度の利用に用意する必要があり、保管場所を慎重に選ばない場合、遺失や児童が誤って呑んでしまうことを生じる可能性がある。他に、光信号の発信または受信用の半導体素子などを有する電子装置に搭載されてテストを実行する場合に、まず、防塵プラグ１２ａを取り外してからチェックを実行でき、また、その後に、改めてその防塵プラグ１２ａを取り付けてから出荷可能になる。こうする場合では、防塵プラグ１２ａの着脱手数が煩雑的になるばかりか、組立ててテストを実行することのコストを向上することがある。
【０００４】
図２Ａと図２Ｂに示すのは、第二種の従来技術のサイド・オープン・タイプ光ファイバー・コネクタ２ａを示すものであり、それは、コネクタのボトム・ベース２１ａにおいて一対の支持フレームを有するスプリング２３ａを備えており、それには旋回軸としての軸部２２ａを有し、そのスプリング２３ａの遮蔽板２４ａに連接する背面部と前記コネクタのボトム・ベース２１ａの内側面が、光ファイバー・プラグ６ａの挿入と抜き出しの操作に従って作用されるので、その遮蔽板２４ａには他の支持フレームによって前記コネクタのボトム・ベース２１ａに固定されることによって、自動的に旋回オープンまたはクローズ操作する必要がある。即ち、不使用時に、前記遮蔽板２４ａが前記コネクタのボトム・ベース２１ａの前記内方当接面に当接することによって光ファイバー・プラグ・イン・ホールをクローズする必要がある。即ち、不使用時に、前記遮蔽板２４ａが前記コネクタのボトム・ベース２１ａの前記の内方当接面に当接する方式によって光ファイバー・プラグ・イン・ホールを封止する。光ファイバー・プラグ６ａを挿入しようとする場合では、光ファイバー・プラグ６ａが前記遮蔽板２４ａを支えると共に、軸部２２ａを旋回軸として内方へ向いてコネクタ・ボトム・ベース２１ａの前記内側面へ旋回してから、遮蔽板２４ａをオープンする。光ファイバー・プラグ６ａを抜き出してから、スプリング２３ａの回復力（弾力）によって遮蔽板２４ａが自動的に元の状態に復帰するようにクローズする。
【０００５】
一般に、光ファイバー・プラグ６ａは、その外縁部にガイディング用の一対の半円形帯状突起部が形成され、それらによって前記光ファイバー・プラグ・イン・ホール内におけるガイディング・スリットに組み合せられ、それらの手段の作用によって前記光ファイバー・プラグ６ａを順調に挿入させる。しかしながら、この第二種の従来技術の開示する前記光ファイバー・コネクタ２ａは遮蔽板２４ａによって側面のオープン（横式オープン動作）を実行すると共に、その遮蔽板２４ａに前記ガイディング・スリットと、片側のガイディング・スリットを封止するための突起部を配置し、光ファイバー・プラグ６ａが挿入時に遮蔽板２４ａのオープンによって光ファイバー・プラグ・イン・ホールの内側に収納され、遮蔽板２４ａを片側の前記ガイディング・スリットを形成させ、光ファイバー・プラグ６ａを前記光ファイバー・プラグ・イン・ホールに順調に挿入させる。しかしながら、遮蔽板２４ａが微小の軸部を介して前記固定支持フレームに付着され、また、その固定支持フレームとコネクタ・ボトム・ベース２１ａとスプリング２３ａと連結されるので、遮蔽板２４ａが形成するガイディング・スリットが前記光ファイバー・プラグ６ａに対する固定作用は、それ自身の活動性とそれぞれの部材と連結後の組立の誤差の増加によって劣化される場合がある。他に、前記の第二種の従来技術の光ファイバー・プラグ６ａの開示した前記光ファイバー・プラグ・イン・ホールの内方に緩衝片２５ａを有するが、それは単に光ファイバー・プラグ６ａの片側に対し深さを制限する作用を発揮でき、且つ前記遮蔽板２４ａの生成する前記の片側の前記ガイディング・スリットの固定性が劣っているため、緩衝片２５ａの制限機能を低下させることがある。
【０００６】
図３Ａと図３Ｂに示すのは、第三種の従来の技術のトップ・オープン・タイプ光ファイバー・コネクタ３ａであり、それは、コネクタのボトム・ベース３１ａに旋回軸としての軸部３２ａを取り付け、且つ一対の支持フレームを有するスプリング３３ａを備えており、スプリング３３ａのそれぞれの正面がそれぞれ遮蔽板３４ａの背面部とコネクタ・ボトム・ベース３１ａの内方上方を連接し、光ファイバー・プラグ６ａの挿入または抜き出しにしたがって、遮蔽板３４ａが自動的に旋回オープンし、またはクローズする。言い換えれば、不使用時に、遮蔽板３４ａがコネクタのボトム・ベース３１ａの内方当接面に当接する方式によって、前記光ファイバー・プラグ・イン・ホールを封止し、光ファイバー・プラグ６ａを挿入しようとする場合、光ファイバー・プラグ６ａによって遮蔽板３４ａを突き上げ、且つ軸部３２ａを旋回軸としコネクタ・ボトム・ベース３１ａの内方へ向いて旋回してから、遮蔽板３４ａをオープンさせる。光ファイバー・プラグ６ａを抜き出す後、スプリング３３ａの回復力（弾力）を利用して、遮蔽板３４ａを自動的に元の状態に復帰させる。
【０００７】
しかしながら、光ファイバー・プラグ６ａを差し込む場合に、軸部３２ａに対する負荷を増加する場合があり、軸部３２ａを破損させる可能性があり、軸部３２ａがそのような原因によって破壊されることを避けるために、硬質の金属製の穏やかな材料を使用して軸部３２ａを作らなければならなく、その材料のコストを増加する場合がある。金属製の軸部３２ａが貫通の方式によって前記スプリング３３ａを取り付け、且つ遮蔽板３４ａに嵌め込まなければならず、そうする場合こそ、スプリング３３ａを付設する遮蔽板組成部材を完成できるので、そのため、組立には時間と手数が多く係るようになってしまう。
【０００８】
図４に示すのは、第四種の従来技術のトップ・オープン・タイプ光ファイバー・コネクタ４ａであり、そのコネクタのボトム・ベース４１ａには板状バネ４３ａと、軸部４２ａを有する遮蔽板４４ａが取り付けられており、前記の第三種の従来技術の光ファイバー・コネクタ３ａと同じように、光ファイバー・プラグ６ａの挿入または抜き出しにしたがって、遮蔽板４４ａが自動的に上向いて旋回オープンし、またはクローズする。
【０００９】
しかしながら、前記板状バネ４３ａが第三種の従来技術と同じように、軸部４２ａの負荷を増加することによってその寿命を短縮させることがある。
【００１０】
図５に示すのは、第五種の従来技術のボトム・オープン・タイプの光ファイバー・コネクタ５ａであり、それは、コネクタ・ボトム・ベース５１ａにおいて弾性体を弾性遮蔽板５４ａとするものであり、その弾性遮蔽板５４ａの自身の備える弾性力によって自動的に元の状態に復帰するように作用する回復力を生成する。光ファイバー・プラグ６ａの挿入と抜き出しにしたがって、前記弾性遮蔽板５４ａが内方へ打開する方式によって自動的に旋回してから、オープンまたはクローズする。その光ファイバー・コネクタ５ａはその弾性遮蔽板５４ａの面積を増加することによってそのガイディング・スリットを封止するものであり、そのガイディング・スリットが前記光ファイバーのプラグ・イン・ホールの後方方向に従って延伸形成できなく、単に前記光ファイバーのプラグ・イン・ホールの入口近傍で形成でき、そのため、前記光ファイバー・プラグ６ａがガイディング・スリットにガイディングされることが出来なく、穏やかに差し込むことができなくなってしまい、且つ光学素子と好適に光結合できなくなってしまう。その中、前記弾性遮蔽板５４ａが光ファイバー・プラグ６ａの進入にしたがって折り曲げてしまい、その折曲げ箇所に容易に弾性疲労を生じ、クローズ状態に復帰できなくなって、その効果を失う場合がある。
【００１１】
同時に、前記の第三の従来技術と、前記の第四の従来技術と、前記の第五の従来技術とが、すべて前記光ファイバー・プラグ６ａの差込深さを制限できなく、そのため、光ファイバーの端面と前記光学素子の表面とは容易に接触摩擦を生じ、削りを生じてそのトランスミットする光信号の強度を低下させることがあるので、システムの信号に対する誤って判断することのチャンスを増加する虞がある。
【考案の開示】
【考案が解決しようとする課題】
【００１２】
本考案は、光ファイバー・プラグに応用され、直接的に遮蔽板に押し込むことができる、光ファイバー・コネクタ及びその遮蔽板構造を提供することをその主要な解決しようとする課題とする。
【００１３】
また、本考案は、光ファイバー・プラグに応用され、防塵と異物侵入を防止可能な効果を有する、光ファイバー・コネクタ及びその遮蔽板構造を提供することをその次の解決しようとする課題とする。
【００１４】
また、本考案は、光ファイバー・プラグに応用され、その光ファイバー・プラグと光信号の発信及び受信装置との間のマッチング率を向上できることを特徴とする、光ファイバー・コネクタおよびその遮蔽板構造を提供することをその他の解決しようとする課題とする。
【００１５】
また、本考案は、光ファイバー・プラグに応用され、光ファイバー・プラグの差し込み深さを制限できる、光ファイバー・コネクタ及びその遮蔽板構造を提供することをその他の解決しようとする課題とする。
【００１６】
また、本考案は、光ファイバー・プラグに応用され、その構造が簡素化され、組立とテストの効率を向上でき、且つコストダウンの目的を図れる、光ファイバー・コネクタ及びその遮蔽板構造を提供することをその他の解決しようとする課題とする。
【課題を解決するための手段】
【００１７】
前記の目的を図るために、本考案は、一種の光ファイバー・プラグに応用される光ファイバーコネクタ及びその遮蔽板構造を提供し、その光ファイバー・プラグには、ソケットと、そのソケットに突出設けられる二つの対向し合う側における突起部と、前記ソケットの先端部に設けられる嵌挿部と、を備えており、また、前記遮蔽板構造には、前記光ファイバー・コネクタのボトム・ベースに収納される弾性装置と、前記弾性装置に収納且つ連接される移動式遮蔽板と、前記移動式遮蔽板を覆うと共に、前記ボトム・ベースに固定されるカバーと、を備えており、その中、前記移動式遮蔽板には、中心部に形成される孔部と、それの左右両縁部にそれぞれ突出形成される二つのガイディング・ロッドと、を備えており、その中、前記二つのガイディング・ロッド同士がそれぞれ前記ボトム・ベースにおける二つのスリットに滑走可能に対応され、また、前記孔部が前記光ファイバー・プラグの前記嵌挿部に対応すると共に、それよりやや大きく形成され、そのため、前記孔部と前記嵌挿部とが余裕があるように結合される。
【００１８】
（作用）
本考案の前記の光ファイバー・コネクタ及びその遮蔽板構造による場合、その遮蔽板に直接に押し込むことが出来、従来技術の分離式防塵プラグと回転軸式の遮蔽板とを取り替えられ、且つその遮蔽板には、予め孔部が保留されるため、光ファイバー・プラグと光信号の発信と受信装置との間のマッチング確率を強化でき、前記遮蔽板の前記ガイディング・ロッドが前記遮蔽板とその押し込み方向とを直交するように保持すると共に、前記光ファイバー・プラグの差込深さを制限でき、前記遮蔽板に前記弾性装置を合せると、防塵と、異物侵入防止と、構造を簡素化することと、組立とテストの効率を向上することと、コストダウンなどの効果を取得できる。
【００１９】
本考案の特徴と技術内容をさらに詳しく説明するために、以下に添付図面を参照しながら本考案の好適な実施の形態を詳細的で具体的に説明するが、それらの説明による具体的な構造は、単に説明に利するための実施例に過ぎず、本考案の主張範囲を狭義的に制限するものではない。
【考案を実施するための最良の形態】
【００２０】
図６Ａの本考案の第一の実施の形態と図１０Ａと図１０Ｂに示すように、本考案の光ファイバー・コネクタ及びその遮蔽板構造は、光ファイバー・プラグ６に応用され、その光ファイバー・コネクタ７にはボトム・ベース７１と、そのボトム・ベース７１の二つの対向しあう内側壁部に凹んで設けられる二つのスリット同士７２とを備えており、また、光ファイバー・プラグ６には、ソケット６１と、そのソケット６１の二つの対向しあう側に突出形成される突起部６２と、ソケット６１の前端部に設けられる嵌挿部６３とを備えており、前記遮蔽板構造には、光ファイバー・コネクタ７におけるボトム・ベース７１に収納される弾性装置８と、弾性装置８に収納且つ連接される移動式遮蔽板９と、移動式遮蔽板９を覆うと共に、ボトム・ベース７１に固定されるカバー１０とを有する。その中、ボトム・ベース７１には、二つの上下方内壁部と、一つの当接壁部と、二つの対向しあう内側壁部と、前記内壁部からなる光ファイバー・プラグ・イン・ホール７３とを有し、光ファイバー・プラグ６を受け取ることが出来、光ファイバー・プラグ・イン・ホール７３の正面より見る形状が、光ファイバー・プラグ６の六角形のソケット６１の正面より見る形状とが完璧に重ね合うことができ、前記二つの上下方内壁部と前記二つの対向しあう内側壁部とが耐磨耗の材料によって製造されるものである。図６Ｂに示すように、移動式遮蔽板９には、中心部に形成される孔部９１と、上下左右の四つの縁部に形成される四つのガイディング・ロッド同士９２とを有しており、それらによって移動式遮蔽板９と押し込み方向とを直交するように保持し、また、その中の両側のガイディング・ロッド９２がそれぞれボトム・ベース７１における二つのスリット７２に滑走可能に対応され、ガイディング・ロッド９２とボトム・ベース７１との接触する軌道面が耐磨耗材料からなるものであり、孔部９１が光ファイバー・プラグ６の嵌挿部６３に対応すると共に、やや大きく形成され、そのため、孔部９１と嵌挿部６３とが余裕あるように組み合わせられている。図６Ｃに示すように、カバー１０はその中央部に窓口１０１が形成され、その窓口１０１のサイズが光ファイバー・プラグ６におけるソケット６１に対応すると共に、やや大きく形成され、それによってカバー１０とソケット６１に余裕あるように組み合わせさせる。図７Ａと図７Ｂに示すように、カバー１０にはさらにかど取りが形成され、それによって光ファイバー・プラグ６のソケット６１を下バー１０を通すようにガイディングする。そのかど取りが所定角度を有するガイディング斜面１０２（図７Ａ参照）であり、または図７Ｂに示すように、そのかど取りとして所定の円弧度を有するガイディング円弧面１０３に形成されてもよい。
【００２１】
図６Ａに示すように、弾性装置８には、コイルスプリング８１を有し、移動式遮蔽板９がコイルスプリング８１を介して光ファイバー・プラグ・イン・ホール７３内に配置され、カバー１０が光ファイバー・プラグ・イン・ホール７３の前端部に配置され、それによって移動式遮蔽板９の脱落を防止する。移動式遮蔽板９の後方に配置されるコイルスプリング８１が支持力を提供し、移動式遮蔽板９の位置を保持する。光ファイバー・プラグ６が光ファイバー・コネクタ７と接合しようとする場合に、まず、光ファイバー・プラグ６の先端部の嵌挿部６３を移動式遮蔽板９における孔部９１に差込み、それから光ファイバー・プラグ６の六角形のソケット６１全体を光ファイバー・プラグ・イン・ホール７３内に挿入し、この際、移動式遮蔽板９が光ファイバー・プラグ６の押し進むことによって、スリット７２に沿ってフルに光ファイバー・プラグ・イン・ホール７３内に押し込まれて位置決められる。光ファイバー・プラグ６の差込深さについてニーズによってガイディング・ロッド９２の長さによって決められる。ソケット６１の突起部６２が光ファイバー・プラグ・イン・ホール７３内に係入されて光ファイバー・プラグ６の位置を固定する。光ファイバー・プラグ６の差込にしたがって圧縮されるコイルスプリング８１がボトム・ベース７１の前記当接壁部と移動式遮蔽板９との間に収納されるようになり、光ファイバー・プラグ６の嵌挿部６３がコイルスプリング８１を通して光信号の発信または受信用の素子または装置と接続を実行し、光信号のトランスミッションを実行する。光ファイバー・プラグ６が抜き出される場合、コイルスプリング８１が同時に移動式遮蔽板９を元の状態に復帰させることができ、図６Ｄに示すのは、本考案の第二の実施の形態であり、その弾性装置８として中央部に孔部９１に対応する開口８２１を有する板状バネ８２を採用している。
【００２２】
図８に示すのは、本考案の第三の実施の形態であり、その弾性装置８には、そのコイルスプリング８１と移動式遮蔽板９との間に弾性孔部材８３を有し、それによって光ファイバー・プラグ・イン・ホール７３をフルに封止し、防塵と異物侵入を防止する。その弾性孔部材８１には経常閉鎖式の細いスリットが形成され、光ファイバー・プラグ６の嵌挿部６３が依然として前記細いスリットを通すことが出来、弾性孔部材８３としてスポンジや他の弾性が好ましいゴムの片状部材を採用でき、移動式遮蔽板９の後の弾性孔部材８３には予め保留される細いスリットを有するので、光ファイバー・プラグ６の嵌挿部６３が挿入される場合にその弾性孔部材８３をその細いスリットの中心部より両側に押し詰めさせることが出来、それから光ファイバー・プラグ６のボトム・ベース６１を光ファイバー・プラグ・イン・ホール７３に挿入し、この場合、移動式遮蔽板９が光ファイバー・プラグ６の押し進みにしたがって、スリット７２に沿ってフルに押し込まれる。その光ファイバー・プラグ６の差込深さについて、同じように、ガイディング・ロッド９２の長さによって決められる。光ファイバー・プラグ６が抜き出される場合に、コイルスプリング８１が同時に移動式遮蔽板９を元の位置へ復帰させるように作用し、移動式遮蔽板９の後の弾性孔部材８３も自動的に閉鎖状態に復帰する。
【００２３】
図９に示すのは、本考案の第四の実施の形態であり、その弾性装置８として一体成形したスポンジまたは弾性が好ましいゴム・ピースからなるＵ字形部材８４を採用し、その中心部に予め細いスリットが形成され、且つ移動式遮蔽板９の孔部９１の中心位置に対応しており、また、Ｕ字形部材８４も支持力を提供し、その遮蔽板の位置を固定し、前記図８に示す第三の実施の形態のように、そのＵ字形部材８４が光ファイバー・プラグ６の嵌挿部６３の差込を受け、その細いスリットが中心部より両側へ押し詰められ、それから、光ファイバー・プラグ６のボトム・ベース６１が光ファイバー・プラグ・イン・ホール７３に差し込まれ、この際、移動式遮蔽板９が光ファイバー・プラグ６の押し進むことによってスリット７２に沿ってフルに押し込まれる。
【産業上の利用可能性】
【００２４】
本考案は、移動式遮蔽板９のガイディング・ロッド９２を利用してその移動式遮蔽板９と押し進み方向とを直交するように保持し、それによって直接移動式遮蔽板９に押し込むことが出来る機能を実現でき、従来技術の分離式の防塵プラグまたは回転軸式遮蔽板を取り替えられ、光ファイバー・プラグ６の差込にしたがって開かれる男性装置８が圧縮されて、且つボトム・ベース７１の前記当接壁部と移動式遮蔽板９との間に収納され、また、移動式遮蔽板９には予め孔部９１が保留されるので、光ファイバー・プラグ６の嵌挿部６３が弾性装置８を通して前記光信号の発信または受信用の素子または装置と接続を実行でき、光ファイバー・プラグ６と発信または受信用の素子または装置との間のマッチング確率を向上でき、光信号のトランスミッションを実行できる。移動式遮蔽板９のガイディング・ロッド９２がニーズに応じてその長さを調整でき、また、光ファイバー・プラグ６の差込深さを制限でき、且つ移動式遮蔽板９に弾性装置８を合せると、防塵と異物侵入防止の目的を図れ、且つ移動式遮蔽板９が従来技術を取り換えて、構造が簡素化され、組立とテストの効率を向上し、且つコストダウンの目的も図れる。
【００２５】
前記に説明した通り、本考案は確かに予期した目的と効果を図れ、しかしながら、前記に掲げられた技術手段が単に本考案のある好適な実施の形態に過ぎず、いずれの本考案の要旨と特徴に基づいて実施される相同効果の修飾と変化とがすべて本考案の主張範囲内に納入されるべきことは言うまでもない。
【図面の簡単な説明】
【００２６】
【図１】第一種の従来技術の光ファイバー・コネクタの応用例を示す説明図である。
【図２Ａ】第二種の従来技術の光ファイバー・コネクタの構造を示す説明図である。
【図２Ｂ】第二種の従来技術の光ファイバー・コネクタの応用例を示す説明図である。
【図３Ａ】第三種の従来技術の光ファイバー・コネクタの構造を示す説明図である。
【図３Ｂ】第三種の従来技術の光ファイバー・コネクタの応用例を示す説明図である。
【図４】第四種の従来技術の光ファイバー・コネクタの構造を示す説明図である。
【図５】第五種の従来技術の光ファイバー・コネクタの構造を示す説明図である。
【図６Ａ】本考案の光ファイバー・コネクタとその遮蔽板構造の第一の実施の形態を示す説明図である。
【図６Ｂ】本考案の移動式遮蔽板を示す説明図である。
【図６Ｃ】本考案のカバーを示す説明図である。
【図６Ｄ】本考案の光ファイバー・コネクタとその遮蔽板構造の第二の実施の形態を示す説明図である。
【図７Ａ】本考案のカバーの第一応用実施例を示す説明図である。
【図７Ｂ】本考案のカバーの第二応用実施例を示す説明図である。
【図８】本考案の光ファイバー・コネクタとその遮蔽板構造の第三の実施の形態を示す説明図である。
【図９】本考案の光ファイバー・コネクタとその遮蔽板構造の第四の実施の形態を示す説明図である。
【図１０Ａ】本考案の光ファイバー・コネクタとその遮蔽板構造の第四の実施の形態を示す組立説明図である。
【図１０Ｂ】本考案の光ファイバー・コネクタとその遮蔽板構造の第四の実施の形態を示す応用説明図である。
【符号の説明】
【００２７】
６      光ファイバー・プラグ
７      光ファイバー・コネクタ
８      弾性装置
９      移動式遮蔽板
１０    カバー
６１    ソケット
６２    突起部
６３    嵌挿部
７１    ボトム・ベース
７２    スリット
７３    光ファイバー・プラグ・イン・ホール
８１    コイルスプリング
８２    板状バネ
８３    弾性孔部材
８４    Ｕ字形部材
９１    孔部
９２    ガイディング・ロッド
１０１  窓口
１０２  ガイディング斜面
１０３  ガイディング円弧面
８２１  開口
【図１】
0003102228.tif 000003
【図２Ａ】
0003102228.tif 000004
【図２Ｂ】
0003102228.tif 000005
【図３Ａ】
0003102228.tif 000006
【図３Ｂ】
0003102228.tif 000007
【図４】
0003102228.tif 000008
【図５】
0003102228.tif 000009
【図６Ａ】
0003102228.tif 000010
【図６Ｂ】
0003102228.tif 000011
【図６Ｃ】
0003102228.tif 000012
【図６Ｄ】
0003102228.tif 000013
【図７Ａ】
0003102228.tif 000014
【図７Ｂ】
0003102228.tif 000015
【図８】
0003102228.tif 000016
【図９】
0003102228.tif 000017
【図１０Ａ】
0003102228.tif 000018
【図１０Ｂ】
0003102228.tif 000019